(57)【特許請求の範囲】
【請求項１】
基板に実装可能な導電性を有するシールドケースにおいて、
基板上に設置可能な第１面と、
この第１面に連続しており且つ該第１面に対して傾斜又は直角である第２面と、
基板の電極に半田接続可能なパッドとを備えており、
前記第１、第２面は、前記シールドケースの外面であり、
前記第１面における前記第２面との境界部分には、有底の凹部であり且つ第１、第２端部を有する略Ｕ字状の第１凹部が設けられており、
前記第２面における前記第１面との境界部分には、前記第１凹部の第１、第２端部に連通する有底の凹部である一対の第２凹部が設けられており、
前記パッドは、前記第１面における前記第１凹部に区画された部分である第１パッド部と、
前記第２面における前記第２凹部に区画された部分であり且つ前記第１パッド部に対して傾斜又は直角である第２パッド部とを有しているシールドケース。
【請求項２】
請求項１記載のシールドケースにおいて、
該シールドケースの内部空間を第１、第２スロットとして仕切る仕切り部を更に備えているシールドケース。
【請求項３】
請求項２記載のシールドケースにおいて、
底板部を更に備えており、
前記仕切り部は、前記底板部の中央部が前記シールドケースの内側に湾曲した部分であり、
前記底板部の外面が前記第１面、前記仕切り部の凹面が前記第２面となっているシールドケース。
【請求項４】
基板に実装可能な導電性を有するシールドケースにおいて、
底板部と、
前記底板部の中央部が前記シールドケースの内側に湾曲した部分であり且つ該シールドケースの内部空間を第１、第２スロットとして仕切る仕切り部と、
前記底板部の外面であり且つ基板上に設置可能な第１面と、
前記仕切り部の凹面であって、前記第１面に連続しており且つ該第１面に対して傾斜又は直角である第２面と、
前記底板部の第１方向の第１、第２端に立設された第１、第２側板部と、
この第１、第２側板部に設けられ且つ前記基板の表面電極又はスルーホール電極に接続可能な第１、第２接続用端子とを備えており、
前記第１面における前記第２面との境界部分には、第１、第２端部を有する略Ｕ字状の第１凹部が設けられており、
前記第２面における前記第１面との境界部分には、前記第１凹部の第１、第２端部に連通する一対の第２凹部が設けられており、
前記第１、第２凹部に区画された部分が基板の電極に半田接続可能なパッドとなっているシールドケース。
【請求項５】
請求項１記載のシールドケースにおいて、
第１方向の第１、第２端を有する底板部と、
前記底板部の前記第１、第２端に立設された第１、第２側板部とを備えており、
前記底板部の外面が前記第１面、前記第１、第２側板部の外面が前記第２面となっているシールドケース。
【請求項６】
基板に実装可能な導電性を有するシールドケースにおいて、
第１方向の第１、第２端を有する底板部と、
前記底板部の前記第１端に立設された第１側板部であって、前記第１方向に直交する第２方向の第１、第２端を有する前記第１側板部と、
前記底板部の前記第２端に立設された第２側板部であって、前記第１方向に直交する第２方向の第１、第２端を有する前記第２側板部と、
前記第１側板部の前記第１端に設けられ且つ前記第２端側に折り返された第１折り返し部と、
前記第２側板部の前記第１端に設けられ且つ前記第２端側に折り返された第２折り返し部と、
前記第１折り返し部に設けられ且つ前記第１側板部の外面に沿う第１外壁部と、
前記第２折り返し部に設けられ且つ前記第２側板部の外面に沿う第２外壁部と、
前記第１外壁部に設けられ且つ前記基板の表面電極又はスルーホール電極に接続可能な第１接続用端子と、
前記第２外壁部に設けられ且つ前記基板の表面電極又はスルーホール電極に接続可能な第２接続用端子と、
前記底板部の外面であり且つ基板上に設置可能な第１面と、
前記第１、第２側板部の外面であって、前記第１面に連続しており且つ該第１面に対して傾斜又は直角である第２面とを備えており、
前記第１面における前記第２面との境界部分には、第１、第２端部を有する略Ｕ字状の第１凹部が設けられており、
前記第２面における前記第１面との境界部分には、前記第１凹部の第１、第２端部に連通する一対の第２凹部が設けられており、
前記第１、第２凹部に区画された部分が基板の電極に半田接続可能なパッドとなっているシールドケース。
【請求項７】
請求項６記載のシールドケースにおいて、
前記第１外壁部と前記第２外壁部とを連結する連結部を更に備えているシールドケース。
【請求項８】
請求項１乃至７のいずれかに記載のシールドケースと、
前記シールドケースに挿入された絶縁性を有するボディと、
このボディに設けられたコンタクトとを備えているコネクタ。
【請求項９】
コネクタと、
このコネクタが実装された基板とを備えており、
前記コネクタは、前記基板に実装可能な導電性を有するシールドケースと、
前記シールドケースに挿入された絶縁性を有するボディと、
このボディに設けられたコンタクトとを備えており、
前記シールドケースは、
前記基板上に設置可能な第１面と、
この第１面に連続しており且つ該第１面に対して傾斜又は直角である第２面とを備えており、
前記第１面における前記第２面との境界部分には、第１、第２端部を有する略Ｕ字状の第１凹部が設けられており、
前記第２面における前記第１面との境界部分には、前記第１凹部の第１、第２端部に連通する一対の第２凹部が設けられており、
前記第１、第２凹部に区画された部分が基板の電極に半田接続可能なパッドとなっており、
前記パッドは、前記第１面に設けられた第１パッド部と、
前記第２面に設けられ、前記第１パッド部に対して傾斜又は直角である第２パッド部とを有しており、
前記基板は、前記第１パッド部に接触し、前記第２パッド部側に延びた電極を有している電子機器。
【発明の詳細な説明】
【技術分野】
【０００１】
本発明は、基板に実装可能なシールドケース、これを備えたコネクタ及び電子機器に関する。
【背景技術】
【０００２】
この種のコネクタとしては、基板剥離強度を向上させるために、シールドケースの側板部の一部を切り下げた一対の接続用端子を基板のスルーホール電極に半田接続させると共に、シールドケースの底板部に突設された突起を基板上の電極に半田接続させているものがある（特許文献１参照）。
【先行技術文献】
【特許文献】
【０００３】
【特許文献１】特開２００９−４３０２号公報
【発明の概要】
【発明が解決しようとする課題】
【０００４】
ところが、前記コネクタは、突起により底板部と基板との間に隙間が生じるため、半田接続時に溶解した半田が前記隙間から底板部の全域に広がり、大きな半田フィレットが形成できず、基板剥離強度が低下するという問題があった。また、前記突起により底板部と基板との間に隙間が生じることから、前記コネクタの実装高さが高くなるという問題もあった。
【０００５】
本発明は、上記事情に鑑みて創案されたものであって、その目的とするところは、基板との間に隙間が生じることなく、基板剥離強度の向上及び実装高さの低減を図ることができるシールドケース、コネクタ及び電子機器を提供することにある。
【課題を解決するための手段】
【０００６】
上記課題を解決するために、本発明のシールドケースは、基板に実装可能な導電性を有するシールドケースである。このシールドケースは、基板上に設置可能な第１面と、この第１面に連続しており且つ該第１面に対して傾斜又は直角である第２面と、基板の電極に半田接続可能なパッドとを備えている。前記第１、第２面は、前記シールドケースの外面である。前記第１面における前記第２面との境界部分には、有底の凹部であり且つ第１、第２端部を有する略Ｕ字状の第１凹部が設けられている。前記第２面における前記第１面との境界部分には、前記第１凹部の第１、第２端部に連通する有底の凹部である一対の第２凹部が設けられている。前記パッドは、前記第１面における前記第１凹部に区画された部分である第１パッド部と、前記第２面における前記第２凹部に区画された部分であり且つ前記第１パッド部に対して傾斜又は直角である第２パッド部とを有している。
【０００７】
このようなシールドケースによる場合、第１、第２面に第１、第２凹部が設けられているだけであり、第１、第２面の第１、第２凹部に区画された部分が基板の電極に半田接続可能なパッドとなっている。よって、パッドの第１面に設けられた部分は該第１面と面一であるので、前記第１面を基板上に設置したとしても、前記第１面と前記基板との間に隙間が生じない。また、パッドの前記第１面に設けられた部分は前記第１凹部に囲われているので、半田接続時に半田が第１面に広がるのを抑止することができる。また、第２面が第１面に対して斜めに傾斜又は直角であることから、パッドの第２面に設けられた部分も該パッドの前記第１面に設けられた部分に対して傾斜又は直角である。このパッドの第２面に設けられた部分に半田を塗布することにより、大きな半田フィレットを形成することができる。よって、本シールドケースの基板剥離強度を向上させることができる。また、前記第１面と前記基板との間に隙間が生じないことから、本シールドケースの実装高さの低減を図ることができる。更に、前記パッドは、第１、第２凹部に囲われた部分であるので、第１面と前記第２面との境界部分には、シールドケースの一部を切り下げて接続用端子が作成される従来例のように開口が形成されない。よって、半田接続時に第１面と前記第２面との境界部分から本シールドケース内に半田やフラックスが侵入するのを抑止することができ、また、前記境界部分に前記開口が形成されることによる本シールドケースのこじり強度の低下を防止することができる。また、パッドは第１、第２凹部に囲われた部分であるので、シールドケースの外形の大型化に寄与せず、本シールドケースは基板上の実装スペースの大型化にも寄与しない。
【０００８】
前記シールドケースは、その内部空間を第１、第２スロットとして仕切る仕切り部を更に備えた構成とすることが可能である。また、前記シールドケースが底板部を更に備えている場合、前記仕切り部は、前記底板部の中央部が前記シールドケースの内側に湾曲した部分とすることができる。この場合、前記底板部の外面が前記第１面、前記仕切り部の凹面が前記第２面となっている。
【０００９】
このような態様のシールドケースによる場合、底板部の外面と仕切り部の凹面との境界部分にパッドが設けられているので、該パッドが基板の電極に半田接続されることにより、本シールドケースの中央部の基板剥離強度を向上させることができる。
【００１０】
本発明の別のシールドケースは、基板に実装可能な導電性を有するシールドケースである。このシールドケースは、底板部と、前記底板部の中央部が前記シールドケースの内側に湾曲した部分であり且つ該シールドケースの内部空間を第１、第２スロットとして仕切る仕切り部と、前記底板部の外面であり且つ基板上に設置可能な第１面と、前記仕切り部の凹面であって、前記第１面に連続しており且つ該第１面に対して傾斜又は直角である第２面と、前記底板部の第１方向の第１、第２端に立設された第１、第２側板部と、この第１、第２側板部に設けられ且つ前記基板の表面電極又はスルーホール電極に接続可能な第１、第２接続用端子とを備えている。前記第１面における前記第２面との境界部分には、第１、第２端部を有する略Ｕ字状の第１凹部が設けられている。前記第２面における前記第１面との境界部分には、前記第１凹部の第１、第２端部に連通する一対の第２凹部が設けられている。前記第１、第２凹部に区画された部分が基板の電極に半田接続可能なパッドとなっている。
このようなシールドケースによる場合、第１、第２面に第１、第２凹部が設けられているだけであり、第１、第２面の第１、第２凹部に区画された部分が基板の電極に半田接続可能なパッドとなっている。よって、パッドの第１面に設けられた部分は該第１面と面一であるので、前記第１面を基板上に設置したとしても、前記第１面と前記基板との間に隙間が生じない。また、パッドの前記第１面に設けられた部分は前記第１凹部に囲われているので、半田接続時に半田が第１面に広がるのを抑止することができる。また、第２面が第１面に対して斜めに傾斜又は直角であることから、パッドの第２面に設けられた部分も該パッドの前記第１面に設けられた部分に対して傾斜又は直角である。このパッドの第２面に設けられた部分に半田を塗布することにより、大きな半田フィレットを形成することができる。よって、本シールドケースの基板剥離強度を向上させることができる。また、前記第１面と前記基板との間に隙間が生じないことから、本シールドケースの実装高さの低減を図ることができる。更に、前記パッドは、第１、第２凹部に囲われた部分であるので、第１面と前記第２面との境界部分には、シールドケースの一部を切り下げて接続用端子が作成される従来例のように開口が形成されない。よって、半田接続時に第１面と前記第２面との境界部分から本シールドケース内に半田やフラックスが侵入するのを抑止することができ、また、前記境界部分に前記開口が形成されることによる本シールドケースのこじり強度の低下を防止することができる。また、パッドは第１、第２凹部に囲われた部分であるので、シールドケースの外形の大型化に寄与せず、本シールドケースは基板上の実装スペースの大型化にも寄与しない。
【００１１】
また、前記シールドケースは、第１方向の第１、第２端を有する底板部と、前記底板部の前記第１、第２端に立設された第１、第２側板部とを備えた構成とすることが可能である。この場合、前記底板部の外面が前記第１面、前記第１、第２側板部の外面が前記第２面となっている。
【００１２】
このような態様のシールドケースによる場合、前記底板部の外面と前記第１側板部の外面との境界部分、及び前記底板部の外面と第２側板部の外面との境界部分に各々第１、第２凹部及びパッドが設けられているので、該パッドが基板の電極に半田接続されることにより、本シールドケースの両端部の基板剥離強度を向上させることができる。
【００１３】
本発明の別のシールドケースは、基板に実装可能な導電性を有するシールドケースである。このシールドケースは、第１方向の第１、第２端を有する底板部と、前記底板部の前記第１端に立設された第１側板部であって、前記第１方向に直交する第２方向の第１、第２端を有する前記第１側板部と、前記底板部の前記第２端に立設された第２側板部であって、前記第１方向に直交する第２方向の第１、第２端を有する前記第２側板部と、前記第１側板部の前記第１端に設けられ且つ前記第２端側に折り返された第１折り返し部と、前記第２側板部の前記第１端に設けられ且つ前記第２端側に折り返された第２折り返し部と、前記第１折り返し部に設けられ且つ前記第１側板部の外面に沿う第１外壁部と、前記第２折り返し部に設けられ且つ前記第２側板部の外面に沿う第２外壁部と、前記第１外壁部に設けられ且つ前記基板の表面電極又はスルーホール電極に接続可能な第１接続用端子と、前記第２外壁部に設けられ且つ前記基板の表面電極又はスルーホール電極に接続可能な第２接続用端子と、前記底板部の外面であり且つ基板上に設置可能な第１面と、前記第１、第２側板部の外面であって、前記第１面に連続しており且つ該第１面に対して傾斜又は直角である第２面とを備えている。前記第１面における前記第２面との境界部分には、第１、第２端部を有する略Ｕ字状の第１凹部が設けられている。前記第２面における前記第１面との境界部分には、前記第１凹部の第１、第２端部に連通する一対の第２凹部が設けられている。前記第１、第２凹部に区画された部分が基板の電極に半田接続可能なパッドとなっている。
【００１４】
このような態様のシールドケースによる場合、第１、第２面に第１、第２凹部が設けられているだけであり、第１、第２面の第１、第２凹部に区画された部分が基板の電極に半田接続可能なパッドとなっている。よって、パッドの第１面に設けられた部分は該第１面と面一であるので、前記第１面を基板上に設置したとしても、前記第１面と前記基板との間に隙間が生じない。また、パッドの前記第１面に設けられた部分は前記第１凹部に囲われているので、半田接続時に半田が第１面に広がるのを抑止することができる。また、第２面が第１面に対して斜めに傾斜又は直角であることから、パッドの第２面に設けられた部分も該パッドの前記第１面に設けられた部分に対して傾斜又は直角である。このパッドの第２面に設けられた部分に半田を塗布することにより、大きな半田フィレットを形成することができる。よって、本シールドケースの基板剥離強度を向上させることができる。また、前記第１面と前記基板との間に隙間が生じないことから、本シールドケースの実装高さの低減を図ることができる。更に、前記パッドは、第１、第２凹部に囲われた部分であるので、第１面と前記第２面との境界部分には、シールドケースの一部を切り下げて接続用端子が作成される従来例のように開口が形成されない。よって、半田接続時に第１面と前記第２面との境界部分から本シールドケース内に半田やフラックスが侵入するのを抑止することができ、また、前記境界部分に前記開口が形成されることによる本シールドケースのこじり強度の低下を防止することができる。また、パッドは第１、第２凹部に囲われた部分であるので、シールドケースの外形の大型化に寄与せず、本シールドケースは基板上の実装スペースの大型化にも寄与しない。
また、第１、第２接続用端子が第１、第２外壁部に設けられているので、底板部又は第１、第２側板部の一部を切り下げて接続用端子が作成される場合のように底板部及び第１、第２側板部に開口が形成されない。よって、半田接続時に前記開口からシールドケース内に半田やフラックスが侵入する抑制することができ、また、前記開口を形成することによるシールドケースのこじり強度の低下を防止することができる。
【００１５】
前記シールドケースは前記第１外壁部と前記第２外壁部とを連結する連結部を更に備えた構成とすることが可能である。この場合、第１外壁部と第２外壁部とが連結部により連結されているので、シールドケースのこじり強度を向上させることができる。
【００１６】
本発明のコネクタは、上述したシールドケースと、このシールドケースに挿入された絶縁性を有するボディと、このボディに設けられたコンタクトとを備えている。
【００１７】
本発明の電子機器は、コネクタと、このコネクタが実装された基板とを備えている。前記コネクタは、前記基板に実装可能な導電性を有するシールドケースと、前記シールドケースに挿入された絶縁性を有するボディと、このボディに設けられたコンタクトとを備えている。前記シールドケースは、前記基板上に設置可能な第１面と、この第１面に連続しており且つ該第１面に対して傾斜又は直角である第２面とを備えている。前記第１面における前記第２面との境界部分には、第１、第２端部を有する略Ｕ字状の第１凹部が設けられている。前記第２面における前記第１面との境界部分には、前記第１凹部の第１、第２端部に連通する一対の第２凹部が設けられている。前記第１、第２凹部に区画された部分が基板の電極に半田接続可能なパッドとなっている。前記パッドは、前記第１面に設けられた第１パッド部と、前記第２面に設けられ、前記第１パッド部に対して傾斜又は直角である第２パッド部とを有している。前記基板は、前記第１パッド部に接触し、前記第２パッド部側に延びた電極を有している。
【図面の簡単な説明】
【００１８】
【図１】本発明の実施例１に係るコネクタの概略的斜視図であって、（ａ）が正面、平面及び右側面側から表した図、（ｂ）が背面、平面及び右側面側から表した図である。
【図２】前記コネクタの概略図であって、（ａ）が正面図、（ｂ）が背面図、（ｃ）が平面図、（ｄ）が底面図、（ｅ）が右側面図、（ｆ）が左側面図である。
【図３】（ａ）は前記コネクタの図２（ａ）のＡ−Ａ断面図、（ｂ）は前記コネクタの図２（ａ）のＢ−Ｂ断面図、（ｃ）は前記コネクタの図２（ａ）のＣ−Ｃ断面図、（ｄ）は前記コネクタの図２（ａ）のＤ−Ｄ断面図である。
【図４】前記コネクタの正面、平面及び右側面側から表した分解斜視図である。
【図５】前記コネクタの背面、底面及び左側面側から表した分解斜視図である。
【図６】前記コネクタのシールドケースのパッドが基板の電極に半田接続された状態を示す説明図である。
【図７】前記コネクタに接続されるプラグコネクタを示す平面図であって、（ａ）が一体型のプラグコネクタを示す図、（ｂ）が前記コネクタの第１スロットに接続される単体プラグコネクタを示す図、（ｃ）が前記コネクタの第２スロットに接続される単体プラグコネクタを示す図である。
【図８】本発明の実施例２に係るコネクタの概略的斜視図であって、（ａ）が正面、平面及び右側面側から表した斜視図、（ｂ）が背面、平面及び右側面側から表した斜視図である。
【図９】前記コネクタの概略図であって、（ａ）が正面図、（ｂ）が背面図、（ｃ）が平面図、（ｄ）が底面図、（ｅ）が右側面図、（ｆ）が左側面図である。
【図１０】（ａ）は前記コネクタの図９（ａ）のＡ−Ａ断面図、（ｂ）は前記コネクタの図９（ａ）のＢ−Ｂ断面図、（ｃ）は前記コネクタの図９（ａ）のＣ−Ｃ断面図、（ｄ）は前記コネクタの図９（ａ）のＤ−Ｄ断面図である。（ｅ）が図９（ａ）のＥ−Ｅ断面図である。
【図１１】前記コネクタの正面、平面及び右側面側から表した分解斜視図である。
【図１２】前記コネクタの背面、底面及び左側面側から表した分解斜視図である。
【図１３】本発明の実施例３に係るコネクタの概略的斜視図であって、（ａ）が正面、平面及び右側面側から表した図、（ｂ）が正面、底面及び右側面側から表した図である。
【図１４】前記コネクタの概略図であって、（ａ）が正面図、（ｂ）が背面図、（ｃ）が平面図、（ｄ）が底面図である。
【図１５】前記コネクタの基板実装状態を示す概略図であって、（ａ）が側面図、（ｂ）が図１４中Ａ−Ａ断面図である。
【図１６】前記コネクタの背面、底面及び右側面側から表した概略的分解斜視図である。
【図１７】前記コネクタのシールドケースのパッドが基板の電極に半田接続された状態を示す説明図である。
【図１８】前記コネクタが実装される基板の模式的平面図である。
【発明を実施するための形態】
【００１９】
以下、本発明の実施例１乃至３について説明する。
【実施例１】
【００２０】
まず、本発明の実施例１に係るレセプタクルコネクタについて図１乃至図７を参照しつつ説明する。図１乃至図３に示すレセプタクルコネクタは、テレビジョン受像機等の電子機器の基板１０に実装され、該電子機器の外部インターフェースとして用いられるＨＤＭＩ（High-Definition Multimedia Interface・登録商標）である。このレセプタクルコネクタは、第１、第２ボディ１００ａ、１００ｂと、複数の第１、第２、第３、第４のコンタクト２００ａ、２００ｂ、２００ｃ、２００ｄと、シールドケース３００とを備えている。以下、各部について詳しく説明する。
【００２１】
シールドケース３００は、図１乃至図５に示すように、導電性を有する金属板が略角筒状にプレス成型されたものである。このシールドケース３００は、底板部３１０と、天板部３２０と、一対の側板部３３０（第１、第２側板部）と、一対のロック片３４０とを有している。底板部３１０は天板部３２０に対向する略矩形状の板である。底板部３１０の外面（第１面）が基板１０上に設置可能となっている。底板部３１０の幅方向（第１方向）の両端（第１方向の第１、第２端）には、側板部３３０が立設されている。側板部３３０の上端の間が天板部３２０により連結されている。底板部３１０の奥行き寸法（後述する挿入方向γ（第１方向に直交する第２方向）の長さ寸法）は、図３に示すように、天板部３２０及び側板部３３０の奥行き寸法よりも短くなっている。底板部３１０、天板部３２０の先端部及び側板部３３０の先端部がシールドケース３００の内部空間を区画し、天板部３２０及び側板部３３０の後端部が、第１、第２ボディ１００ａ、１００ｂが後方から挿入され、収容される収容空間を区画している。なお、図４及び図５において、第１、第２ボディ１００ａ、１００ｂが前記収容空間に挿入される方向を挿入方向γとして表している。
【００２２】
また、底板部３１０の中央部には、図１（ａ）及び図２（ａ）に示すように、天板部３２０に向けて下向き略Ｕ字状に湾曲した湾曲部が設けられている。この湾曲部がシールドケース３００の前記内部空間を第１、第２スロットα、βに仕切る仕切り部３１１となっている。また、仕切り部３１１の裏側には断面下向き略Ｕ字状の凹部３１２（仕切り部の凹面）が形成されている。仕切り部３１１及び凹部３１２は、図５に示すように、底板部３１０の挿入方向γの先端（第１端）から後端（第２端）までの全域にわたって延存している。凹部３１２は、矩形状の上側凹部３１２ａと、両縁部が下方に向けて漸次拡大する下側凹部３１２ｂとを有している。この下側凹部３１２ｂの両内面（第２面）は、底板部３１０の外面に対して傾斜している。底板部３１０の外面の下側凹部３１２ｂの両内面との境界部分には、図５及び図６に示すように、第１、第２端部３１５ａ、３１５ｂを有する略Ｕ字状の第１凹部３１５が各々設けられている。この第１凹部３１５は第１、第２端部３１５ａ、３１５ｂの間の開放部が内側に向いている。下側凹部３１２ｂの両内面の底板部３１０の外面との境界部分には、第１凹部３１５の第１、第２端部３１５ａ、３１５ｂに連通する矩形状の一対の第２凹部３１６が各々設けられている。この第１、第２凹部３１５、３１６に区画された部分が基板１０の一対のグランド電極１１に各々半田接続可能なパッド３１７となっている。パッド３１７は、第１、第２パッド部３１７ａ、３１７ｂを有する。第１パッド部３１７ａは底板部３１０の外面に設けられた部位である。第１パッド部３１７ａの表面と底板部３１０の外面とは、高さ位置が同じになっている（すなわち、面一である。）。第２パッド部３１７ｂは下側凹部３１２ｂの両内面に設けられた部位であって、第１パッド部３１７ａに対して傾斜している。第２パッド部３１７ｂの表面と下側凹部３１２ｂの両内面とは、高さ位置が同じになっている（すなわち、面一である。）。なお、グランド電極１１は、第１パッド部３１７ａに接触可能な部分と第２パッド部３１７ｂ側に延設された部分とを有する略矩形状の表面電極である。
【００２３】
また、底板部３１０の第２スロットβ部分には、接合部３１８が設けられている。この接合部３１８はシールドケース３００を構成する金属板の端部同士を接合しカシメた部分である。このように底板部３１０の第２スロットβ部分にシールドケース３００の接合部を設けることにより、シールドケース３００の第１、第２スロットα、β部分の強度低下を抑制している。第１スロットαの内形は、図７（ａ）に示すプラグコネクタ２０のＨＤＭＩ-ｍｉｎｉ用の接続部２１又は図７（ｂ）に示すプラグコネクタ３０のＨＤＭＩ-ｍｉｎｉ用の接続部３１の外形に対応した形状となっている。また、第２スロットβの内形は、図７（ａ）に示すプラグコネクタ２０のＨＤＭＩ用の接続部２２又は図７（ｃ）に示すプラグコネクタ４０のＨＤＭＩ用の接続部４１の外形に対応した形状となっている。すなわち、第１スロットαに接続部２１又は接続部３１が挿入可能となっており、第２スロットβに接続部２２又は接続部４１が挿入可能となっている。また、底板部３１０の第１、第２スロットα、β部分の後面は、図３（ｂ）乃至図３（ｄ）に示すように、第１ボディ１００ａの後述する一対の突脈１５０ａの前面に当接する当止面３１３、３１４となっている。
【００２４】
天板部３２０は、図１に示すように、略矩形状の板部である。天板部３２０には、その一部がカットされ形成された２つの係止片３２１と、２つの係止片３２２とが設けられている。係止片３２１、３２２の先端部が下方に向けて円弧状に折り曲げられている。係止片３２１の先端部は、第１スロットαに挿入されたプラグコネクタ２０の接続部２１又はプラグコネクタ３０の接続部３１に弾性的に接触し、該接続部２１又は接続部３１を保持するようになっている。同様に、係止片３２２の先端部は、第２スロットβに挿入されたプラグコネクタ２０の接続部２２又はプラグコネクタ４０の接続部４１に弾性的に接触し、該接続部２２又は接続部４１を保持するようになっている。また、天板部３２０の係止片３２１、３２２の後方部分の一部は、切り下げられ、下方に凸の当止部３２３、３２４となっている。
【００２５】
各側板部３３０の下端には、前側端子３３１（第１、第２接続用端子）と、後側端子３３２（第１、第２接続用端子）とが垂下されている。前側端子３３１は、底板部３１０の幅方向の両端部の一部分がカットされ、下方に向けて折り曲げられた片部材（すなわち、切り下げられた片部材）である。後側端子３３２は、底板部３１０の奥行き寸法を天板部３２０及び側板部３３０よりも短くするために切り落とされる板部の一部を切り落とされる前にカットし、下方に向けて折り曲げられた片部材である。前側端子３３１及び後側端子３３２は、基板１０の図示しないスルーホール電極に各々挿入可能となっている。側板部３３０の後端にはロック片３４０が延設されている。
【００２６】
第１ボディ１００ａは絶縁樹脂製の射出成型品である。この第１ボディ１００ａは、図３乃至図５に示すように、本体部１１０ａと、第１、第２凸部１２０ａ、１３０ａと、一対のガイド部１４０ａと、一対の突脈１５０ａと、補強部材１６０ａと、一対の係止凸部１７０ａとを有している。本体部１１０ａは断面視略矩形状の板体である。この本体部１１０ａには、挿入方向γに貫通する複数の第１、第２孔部１１１ａ、１１２ａが第１ボディ１００ａの幅方向に間隔をあけて一列で設けられている。また、本体部１１０ａの挿入方向γの前面の上端部には、矩形状の切欠き部１１３ａ、１１４ａ（図３及び４参照）が設けられている。切欠き部１１３ａ、１１４ａには、シールドケース３００の当止部３２３、３２４が挿入され、該切欠き部１１３ａ、１１４ａの奥側面に当止部３２３、３２４が前方から当接するようになっている。
【００２７】
また、本体部１１０ａの挿入方向γの前面の中央部には、第１、第２スロットα、βに挿入される板状の第１、第２凸部１２０ａ、１３０ａが設けられている。この第１、第２凸部１２０ａ、１３０ａの外形は、図７に示すプラグコネクタ２０の接続部２１、２２の図示しない接続孔に嵌合し得る形状となっている。この第１、第２凸部１２０ａ、１３０ａの下面には、複数の第１、第２長溝１２１ａ、１３１ａが前記幅方向に間隔をあけて一列で設けられている。第１、第２凸部１２０ａ、１３０ａの上面には、第１、第２孔部１１１ａ、１１２ａに連通する複数の第３、第４長溝１２２ａ、１３２ａが前記幅方向に間隔をあけて一列で設けられている。また、第１、第２、第３、第４長溝１２１ａ、１２２ａ、１３１ａ、１３２ａは、挿入方向γに沿って延びている。第３長溝１２２ａは、平面位置的に、隣り合う第１長溝１２１ａの間に位置している。第４長溝１３２ａは、平面位置的に、隣り合う第２長溝１３１ａの間に位置している。換言すると、図２（ａ）に示すように、第１長溝１２１ａと第３長溝１２２ａとは千鳥配置されており、第２長溝１３１ａと第４長溝１３２ａとは千鳥配置されている。
【００２８】
また、本体部１１０ａの前面の中央下端部には、図４に示すように、略Ｌ字状の補強部材１６０ａが設けられている。この補強部材１６０ａは、略三角柱のアーム部１６１ａと、角柱の突起１６２ａとを有している。アーム部１６１ａは、本体部１１０ａの前面から前方に延びた略三角柱である。突起１６２ａは、アーム部１６１ａの先端部に上方に向けて突設された角柱である。突起１６２ａがシールドケース３００の凹部３１２の上側凹部３１２ａに嵌合し、アーム部１６１ａが該凹部３１２の下側凹部３１２ｂに嵌合している。このように補強部材１６０ａがシールドケース３００の凹部３１２に部分的に嵌合している。アーム部１６１ａの下面には、円柱状の一対の係止凸部１７０ａが設けられている。この係止凸部１７０ａは基板１０の図示しない係止孔に挿入可能になっている。
【００２９】
また、本体部１１０ａには、図５に示すように、複数の第１、第２コンタクト２００ａ、２００ｂが各々前記幅方向に間隔をあけて一列で配列されている。第１コンタクト２００ａは、図３（ｂ）に示すように、導電性を有する細長い金属板であって、埋設部２１０ａと、接触部２２０ａと、テール部２３０ａとを有している。埋設部２１０ａは本体部１１０ａに埋設された下向き略Ｌ字状の部位であって、後端部が本体部１１０ａから下方に突出している。接触部２２０ａは、埋設部２１０ａの先端に連続する直線状の部位であって、第１凸部１２０ａの第１長溝１２１ａに挿入されている。テール部２３０ａは埋設部２１０ａの後端に連続し且つ埋設部２１０ａの後端部に対して直角に折り曲げられた平板状の部位である。第２コンタクト２００ｂは、図３（ｄ）に示すように、導電性を有する細長い金属板であって、埋設部２１０ｂと、接触部２２０ｂと、テール部２３０ｂとを有している。この第２コンタクト２００ｂは、接触部２２０ｂが第２凸部１３０ａの第２長溝１３１ａに挿入されている以外、第１コンタクト２００ａと同じである。したがって、第２コンタクト２００ｂの各部について、第１コンタクト２００ａと重複する説明は省略する。
【００３０】
また、本体部１１０ａの下面には一対の突脈１５０ａが設けられている。この突脈１５０ａがシールドケース３００の底板部３１０の当止面３１３、３１４に前方から当接している。また、本体部１１０ａの挿入方向γの後面の幅方向の両端部には一対のガイド部１４０ａが設けられている。ガイド部１４０ａの上面はシールドケース３００の天板部３２０に当接している。これにより、第１ボディ１００ａ及びこれに組み合わされた第２ボディ１００ｂのシールドケース３００の天板部３２０に対する平行度が向上している。また、本体部１１０ａの後面には、図５に示すように、第１、第２孔部１１１ａ、１１２ａの間と第２孔部１１２ａの外側とに嵌合穴部１１５ａが各々設けられている。
【００３１】
第２ボディ１００ｂは、図３乃至図５に示すように、絶縁樹脂製の射出成型品であって、本体部１１０ｂと、一対の嵌合凸部１２０ｂと、一対の山部１３０ｂとを有している。本体部１１０ｂは、断面視略Ｌ字状の部位であって、その幅寸法が第１ボディ１００ａのガイド部１４０ａの間の寸法よりも若干小さくなっている。この第２ボディ１００ｂが第１ボディ１００ａのガイド部１４０ａの間に挿入され、第１、第２ボディ１００ａ、１００ｂが挿入方向γに前後に組み合わせられている。本体部１１０ｂの挿入方向γの前面には、図４に示すように、嵌合穴部１１５ａに対応する位置に一対の嵌合凸部１２０ｂが設けられている。この嵌合凸部１２０ｂは、円柱状の突起であって、第１ボディ１００ａの嵌合穴部１１５ａに嵌合している。嵌合凸部１２０ｂが嵌合穴部１１５ａに嵌合することにより、第１、第２ボディ１００ａ、１００ｂが組み合わせられた状態で維持されている。また、本体部１１０ｂの挿入方向γの後面の幅方向の両端部には、一対の山部１３０ｂが設けられている。この山部１３０ｂの先端部は、第１、第２ボディ１００ａ、１００ｂが組み合わせられた状態で、第１ボディ１００ａのガイド部１４０ａよりも後方に突出する高さ寸法を有している。この山部１３０ｂの先端部に、シールドケース３００の略Ｌ字状に折り曲げられたロック片３４０が当接している。これにより、シールドケース３００の収容空間に収容された第１、第２ボディ１００ａ、１００ｂが、ロック片３４０と、底板部３１０の仕切り部３１１、当止面３１３、３１４、及び天板部３２０の当止部３２３、３２４との間で挟持され、上記収容空間内に固定されている。なお、図４及び図５では、ロック片３４０は折り曲げる前の真っ直ぐな状態で表している。
【００３２】
本体部１１０ｂには、図４に示すように、複数の第３、第４コンタクト２００ｃ、２００ｄが各々幅方向に第１、第２孔部１１１ａ、１１２ａと同じ間隔で一列に配列されている。第３、第４コンタクト２００ｃ、２００ｄは第１、第２コンタクト２００ａ、２００ｂ上側位置（すなわち、異なる高さ位置）に配置されている。第３コンタクト２００ｃは、図３（ａ）に示すように、導電性を有する細長い金属板であって、埋設部２１０ｃと、接触部２２０ｃと、テール部２３０ｃとを有している。埋設部２１０ｃは、本体部１１０ｂに埋設された部位であって、斜めに傾斜した中間部と、この中間部に対して折り曲げられた先端部と、前記中間部に対して折り曲げられ、下方に垂下された後端部とを有している。この埋設部２１０ｃの先端部及び中間部が本体部１１０ｂ内に埋設されている。埋設部２１０ｃの後端部は本体部１１０ｂから下方に突出している。接触部２２０ｃは埋設部２１０ｃの先端に連続し且つ本体部１１０ｂの前面から突出した平板である。この接触部２２０ｃは、第１接触部２２０ａよりも第１ボディ１００ａの本体部１１０ａの厚み分長い。この接触部２２０ｃが第１ボディ１００ａの第１孔部１１１ａ及び第３長溝１２２ａに挿入されている。テール部２３０ｃは埋設部２１０ｃの後端に連続し且つ埋設部２１０ｃの後端部に対して直角に折り曲げられた平板状の部位である。第４コンタクト２００ｄは、図３（ｃ）に示すように、導電性を有する細長い金属板であって、埋設部２１０ｄと、接触部２２０ｄと、テール部２３０ｄとを有している。この第４コンタクト２００ｄは、接触部２２０ｄが第２凸部１３０ａの第４長溝１３２ａに挿入されている以外、第３コンタクト２００ｃと同じである。したがって、第４コンタクト２００ｄの各部について、第３コンタクト２００ｃと重複する説明は省略する。
【００３３】
第１長溝１２１ａに挿入された接触部２２０ａと第３長溝１２２ａに挿入された接触部２２０ｃとは千鳥配置されている。換言すると、第３コンタクト２００ｃの接触部２２０ｃが、平面位置的に、隣り合う第１コンタクト２００ａの接触部２２０ａの間に配置されている。この接触部２２０ａ、２２０ｃは、第１凸部１２０ａと共に第１スロットαに挿入され、該第１スロットαに挿入されるプラグコネクタ２０の接続部２１又はプラグコネクタ３０の接続部３１の下側、上側コンタクトに接触可能となっている。同様に、第２長溝１３１ａに挿入された接触部２２０ｂと第４長溝１３２ａに挿入された接触部２２０ｄとは千鳥配置されている。換言すると、第４コンタクト２００ｄの接触部２２０ｄが、平面位置的に、隣り合う第２コンタクト２００ｂの接触部２２０ｂの間に配置されている。この接触部２２０ｂ、２２０ｄは、第２凸部１３０ａと共に第２スロットβに挿入され、該第２スロットβに挿入されるプラグコネクタ２０の接続部２２又はプラグコネクタ４０の接続部４１の下側、上側コンタクトに接触可能となっている。また、テール部２３０ａ、２３０ｃは、下面が同一高さとなっており且つ挿入方向γに前後二列に配列されている。テール部２３０ｂ、２３０ｄも、下面が同一高さとなっており且つ挿入方向γに前後二列に配列されている。テール部２３０ａ、２３０ｂ、２３０ｃ、２３０ｄが基板１０の図示しない表面電極に各々半田接続可能となっている。
【００３４】
以下、上述した構成のレセプタクルコネクタの組み立て手順について説明する。まず、図４及び図５に示すように、第１ボディ１００ａに第１、第２コンタクト２００ａ、２００ｂの埋設部２１０ａ、２１０ｂを、第２ボディ１００ｂに第３、第４コンタクト２００ｃ、２００ｄの埋設部２１０ｃ、２１０ｄをインサート成形により埋設する。これにより、第１、第２コンタクト２００ａ、２００ｂが第１ボディ１００ａに幅方向に一列で配列され、第３、第４コンタクト２００ｃ、２００ｄが第２ボディ１００ｂに幅方向に一列で配列される。このとき、第１、第２コンタクト２００ａ、２００ｂの接触部２２０ａ、２２０ｂが第１ボディ１００ａの第１、第２長溝１２１ａ、１３１ａに挿入される。
【００３５】
その後、第１、第２ボディ１００ａ、１００ｂを相対的に接近させ、第２ボディ１００ｂの第３、第４コンタクト２００ｃ、２００ｄの接触部２２０ｃ、２２０ｄを第１ボディ１００ａの第１、第２孔部１１１ａ、１１２ａ及び第３、第４長溝１２２ａ、１３２ａに挿入する。これにより、接触部２２０ａと接触部２２０ｃとが異なる高さ位置で千鳥配置され、接触部２２０ｂと接触部２２０ｄとが異なる高さ位置で千鳥配置される。これと共に、第１ボディ１００ａの一対のガイド部１４０ａに第２ボディ１００ｂの幅方向の両端をガイドさせつつ、該第２ボディ１００ｂを第１ボディ１００ａのガイド部１４０ａの間に挿入する。すると、第２ボディ１００ｂの嵌合凸部１２０ｂが第１ボディ１００ａの嵌合穴部１１５ａに嵌合する。これにより、第１、第２ボディ１００ａ、１００ｂが挿入方向γに前後に組み合わされ、テール部２３０ａ、２３０ｃが同一高さで且つ挿入方向γに前後二列に配置されると共に、テール部２３０ｂ、２３０ｄが同一高さで且つ挿入方向γに前後二列に配置される。
【００３６】
その後、第１ボディ１００ａの補強部材１６０ａをシールドケース３００の凹部３１２に挿入し、該補強部材１６０ａの突起１６１ａを凹部３１２の上側凹部３１２ａに、アーム部１６２ａを下側凹部３１２ｂに嵌合させる。このとき、補強部材１６０ａが凹部３１２に挿入方向γにガイドされる。これと共に、側板部３３０に沿って真っ直ぐな状態のロック片３４０の間に、第１、第２ボディ１００ａ、１００ｂを挿入する。このとき、第１ボディ１００ａの幅方向の両端がロック片３４０にガイドされつつ、第１、第２ボディ１００ａ、１００ｂがシールドケース３００の収容空間に後方から挿入方向γに沿って挿入され、第１ボディ１００ａの第１、第２凸部１２０ａ、１３０ａがシールドケース３００の第１、第２スロットα、βに挿入される。すると、第１ボディ１００ａの本体部１１０ａの前面が仕切り部３１１に当接する。これと共に、第１ボディ１００ａの突脈１５０ａがシールドケース３００の底板部３１０の当止面３１３、３１４に各々当接し、シールドケース３００の天板部３２０の当止部３２３、３２４が第１ボディ１００ａの切欠き部１１３ａ、１１４ａに挿入され、該切欠き部１１３ａ、１１４ａの奥側面に当接する。また、第１ボディ１００ａのガイド部１４０ａがシールドケース３００の天板部３２０に当接する。
【００３７】
この状態で、ロック片３４０を内側に各々折り曲げ、第２ボディ１００ｂの山部１３０ｂに各々当接させる。これにより、ロック片３４０と、底板部３１０の仕切り部３１１、当止面３１３、３１４、及び天板部３２０の当止部３２３、３２４との間で第１、第２ボディ１００ａ、１００ｂが挟持され、第１、第２ボディ１００ａ、１００ｂがシールドケース３００の収容空間に収容された状態で固定される。
【００３８】
このように組み立てられたレセプタクルコネクタは次のように基板１０に実装される。まず、シールドケース３００の前側端子３３１と後側端子３３２を基板１０の上記スルーホール電極に各々挿入する。これと共に、第１ボディ１００ａの係止凸部１７０ａを基板１０の上記係止孔に各々挿入し係止させる。すると、シールドケース３００の底板部３１０の外面が基板１０上に設置され、シールドケース３００のパッド３１７が基板１０の一対のグランド電極１１に各々接触すると共に、テール部２３０ａ、２３０ｂ、２３０ｃ、２３０ｄが基板１０の上記表面電極上に各々接触する。その後、前側端子３３１と後側端子３３２を基板１０の前記スルーホール電極に、パッド３１７を一対のグランド電極１１に、テール部２３０ａ、２３０ｂ、２３０ｃ、２３０ｄが基板１０の前記表面電極に各々半田付けする。このとき、パッド３１７の第２パッド部３１７ｂとグランド電極１１とに半田フィレットが形成される。なお、シールドケース３００は、基板１０の前記スルーホール電極及びグランド電極１１を通じて、該基板１０のグランドラインに電気的に接続され、シールド機能を発揮する。
【００３９】
このようなレセプタクルコネクタによる場合、シールドケース３００の底板部３１０の外面及び仕切り部３１１の裏側の凹部３１２の下側凹部３１２ｂの両内面に、第１、第２凹部３１５、３１６が設けられただけであり、第１、第２凹部３１５、３１６に区画された部分がパッド３１７となっている。このパッド３１７の第１パッド部３１７ａは底板部３１０の外面と面一であるので、底板部３１０の外面を基板１０上に設置したとしても、底板部３１０の外面と基板１０との間に隙間が生じない。また、第１パッド部３１７ａは略Ｕ字状の第１凹部３１５に囲われているので、半田接続時に半田が底板部３１０の外面と基板１０との間に広がるのを抑止することができ、底板部３１０の接合部３１８からシールドケース３００内に侵入するのを抑止することができる。また、パッド３１７の第２パッド部３１７ｂは第１パッド部３１７ａに対して傾斜しているので、第２パッド部３１７ｂに半田を塗布することにより、大きな半田フィレットを形成することができる。よって、本レセプタクルコネクタの中央部の基板剥離強度を向上させることができる。しかも、シールドケース３００の前側端子３３１及び後側端子３３２が基板１０のスルーホール電極に各々半田接続されているので、本レセプタクルコネクタの両端部の基板剥離強度を向上させることができる。このように本レセプタクルコネクタは全体として高い基板剥離強度を有する構成となっている。
【００４０】
また、底板部３１０の外面と基板１０との間に隙間が生じないので、本レセプタクルコネクタの実装高さの低減を図ることもできる。更に、パッド３１７は、第１、第２凹部３１５、３１６に囲われた部分であることから、底板部３１０の外面及び仕切り部３１１の裏側の凹部３１２の下側凹部３１２ｂの両内面に、シールドケースの一部を切り下げて接続用端子が作成される場合のように開口が形成されない。よって、半田接続時に底板部３１０の中央部及び仕切り部３１１からシールドケース３００内に半田やフラックスが侵入する抑制することができる。また、底板部３１０の中央部及び仕切り部３１１に前記開口が形成されることによるシールドケース３００のこじり強度の低下を抑制することができる。更に、底板部３１０の外面及び仕切り部３１１の裏側の凹部３１２の下側凹部３１２ｂの両内面に接続用端子が形成されないことから、該接続用端子が形成される分本コネクタの外形が大きくなるのを抑制することができる。
【００４１】
補強部材１６０ａがシールドケース３００の仕切り部３１１の裏側の凹部３１２に部分的に嵌合しているので、スロットαにプラグコネクタ３０の接続部３１が又はスロットβにプラグコネクタ４０の接続部４１が挿入され、こじられたとしても、仕切り部３１１周辺の変形を抑止することができると共に、接合部３１８が外れ、開放されるのを抑止することができる。よって、本コネクタのこじり強度の向上を図ることができる。
【実施例２】
【００４２】
次に、本発明の実施例２について図７乃至図１２を参照しつつ説明する。図８及び図９に示すレセプタクルコネクタは、実施例１と同様のテレビジョン受像機等の電子機器の基板１０に実装され、該電子機器の外部インターフェースとして用いられるＨＤＭＩ（High-Definition Multimedia Interface・登録商標）である。このレセプタクルコネクタは、第１、第２ボディ１００ａ’、１００ｂ’の形状が第１、第２ボディ１００ａ、１００ｂの形状と相違し、且つシールドケース３００’の形状がシールドケース３００の形状と相違している以外、実施例１のレセプタクルコネクタと略同じである。よって、その相違点についてのみ詳しく説明し、重複する説明については省略する。なお、第１、第２ボディ及びシールドケースの符号については、’を付して実施例１の第１、第２ボディ及びシールドケースと区別する。
【００４３】
シールドケース３００’は、底板部３１０’の仕切り部３１１’及び凹部３１２’の形状が実施例１のシールドケース３００と相違している。以下、その相違点についてのみ詳しくは説明する。底板部３１０’の中央部は、図８乃至図１２に示すように、下向きＹ字状に湾曲した湾曲部が設けられている。この湾曲部がシールドケース３００’の内部空間を第１、第２スロットα、βに区切る断面下向きＹ字状の仕切り部３１１’となっている。また、仕切り部３１１’の裏側には断面略三角形状の凹部３１２’（仕切り部の凹面）が形成されている。仕切り部３１１’及び凹部３１２’は、図１２に示すように、底板部３１０’の挿入方向γの先端（第１端）から後端（第２端）までの全域にわたって延存している。凹部３１２’の両内面（第２面）は、底板部３１０’の外面（第１面）に対して傾斜している。底板部３１０’の外面の凹部３１２’の両内面との境界部分には、第１、第２端部３１５ａ’、３１５ｂ’を有する略Ｕ字状の第１凹部３１５’が各々設けられている。この第１凹部３１５’は第１、第２端部３１５ａ’、３１５ｂ’の間の開放部が内側に向いている。凹部３１２’の両内面の底板部３１０’の外面との境界部分には、第１凹部３１５’の第１、第２端部３１５ａ’、３１５ｂ’に連通する矩形状の一対の第２凹部３１６’が各々設けられている。この第１、第２凹部３１５’、３１６’に区画された部分が基板１０の一対のグランド電極１１に各々半田接続可能なパッド３１７’となっている。パッド３１７’は、第１、第２パッド部３１７ａ’、３１７ｂ’を有する。第１パッド部３１７ａ’は底板部３１０’の外面に設けられた部位である。第１パッド部３１７ａ’の表面と底板部３１０’の外面とは、高さ位置が同じになっている（すなわち、面一である。）。第２パッド部３１７ｂ’は凹部３１２’の両内面に設けられた部位であって、第１パッド部３１７ａ’に対して傾斜している。第２パッド部３１７ｂ’の表面と凹部３１２’の両内面とは、高さ位置が同じになっている（すなわち、面一である。）。なお、図８乃至図１２中、３１８’は接合部、３２０’は天板部、３３０’は側板部、３４０’はロック片、３２１’、３２２’は係止片、３２３’、３２４’は当止部、３３１’は前側脚部、３３２’は後側脚部である。
【００４４】
第１ボディ１００ａ’は、本体部１１０ａ’の第２孔部１１２ａ’及び第４長溝１３２ａ’の配列、本体部１１０ａ’の嵌合穴部１１５ａ’が設けられている箇所、本体部１１０ａ’に嵌合凸部１１６ａ’が新に設けられている点、補強部材１６０ａ’の形状及び一対の係止凸部１７０ａ’が設けられている箇所が実施例１の第１ボディ１００ａと相違している。以下、その相違点についてのみ詳しく説明する。第２孔部１１２ａ’及び第４長溝１３２ａ’は、図１１及び図１２に示すように、本体部１１０ａ’に該第２孔部１１２ａ’及び第４長溝１３２ａ’の列の真ん中に間隔を開けて設けられている。このため、第４コンタクト２００ｄの埋設部２１０ｄも、第２ボディ１００ｂ’の本体部１１０ｂ’に該第４コンタクト２００ｄの列の真ん中に間隔を開けて埋設されている。補強部材１６０ａ’は本体部１１０ａの前面に突設された略三角柱状の突脈である。補強部材１６０ａ’の長さ寸法は凹部３１２’の挿入方向γの長さ寸法よりも小さい。よって、補強部材１６０ａ’は凹部３１２’に部分的に嵌合している。また、係止凸部１７０ａ’は一対のガイド部１４０ａ’の下面に突設されている。この係止凸部１７０ａ’も基板１０の図示しない係止孔に各々挿入可能となっている。嵌合凸部１１６ａ’は、本体部１１０ａ’の挿入方向γの後面の中央部に突設された直方体状の突起である。この嵌合凸部１１６ａ’の後面に一対の嵌合穴部１１５ａ’が設けられている。なお、図９乃至図１２中、１２０ａ’は第１凸部、１３０ａ’は第２凸部、１５０ａ’は突脈、１１１ａ’は第１孔部、１１３ａ’、１１４ａ’は凹部、１２１ａ’は第１長溝、１２２ａ’は第２長溝、１３１ａ’は第３長溝である。
【００４５】
第２ボディ１００ｂ’は、本体部１１０ｂ’の挿入方向γの前面の中央部に嵌合凹部１１１ｂ’が新に設けられている点及び嵌合凸部１２０ｂ’が設けられている箇所が実施例１の第２ボディ１００ｂと相違している。以下、その相違点についてのみ詳しく説明する。嵌合凹部１１１ｂ’は略矩形状の窪みであって、嵌合凸部１１６ａ’が嵌まり込んでいる。この嵌合凹部１１１ｂ’の底面には、一対の嵌合凸部１２０ｂ’が設けられている。この嵌合凸部１２０ｂ’が嵌合凸部１１６ａ’の後面の嵌合穴部１１５ａ’に各々嵌合している。また、本体部１１０ｂ’及び山部１３０ｂ’が、図１０に示すように、シールドケース３００’の天板部３２０’の下面に当接している。
【００４６】
以下、上述した構成のレセプタクルコネクタの組み立て手順について説明する。まず、図１１及び図１２に示すように、第１ボディ１００ａ’に第１、第２コンタクト２００ａ、２００ｂの埋設部２１０ａ、２１０ｂを、第２ボディ１００ｂ’に第３、第４コンタクト２００ｃ、２００ｄの埋設部２１０ｃ、２１０ｄをインサート成形により埋設する。これにより、第１、第２コンタクト２００ａ、２００ｂが第１ボディ１００ａ’に幅方向に一列で配列され、第３、第４コンタクト２００ｃ、２００ｄが第２ボディ１００ｂ’に幅方向に一列で配列される。このとき、第１、第２コンタクト２００ａ、２００ｂの接触部２２０ａ、２２０ｂが第１ボディ１００ａ’の第１、第２長溝１２１ａ’、１３１ａ’に挿入される。
【００４７】
その後、第１、第２ボディ１００ａ’、１００ｂ’を相対的に接近させ、第２ボディ１００ｂ’の第３、第４コンタクト２００ｃ、２００ｄの接触部２２０ｃ、２２０ｄを第１ボディ１００ａ’の第１、第２孔部１１１ａ’、１１２ａ’及び第３、第４長溝１２２ａ’、１３２ａ’に挿入する。これにより、接触部２２０ａと接触部２２０ｃとが異なる高さ位置で千鳥配置され、接触部２２０ｂと接触部２２０ｄとが異なる高さ位置で千鳥配置される。これと共に、第１ボディ１００ａ’の一対のガイド部１４０ａ’に第２ボディ１００ｂ’の幅方向の両端をガイドさせつつ、該第２ボディ１００ｂ’を第１ボディ１００ａ’のガイド部１４０ａ’の間に挿入する。すると、第１ボディ１００ａ’の嵌合凸部１１６ａ’が第２ボディ１００ｂ’の嵌合凹部１１１ｂ’に嵌まり込むと共に、第２ボディ１００ｂ’の嵌合凸部１２０ｂ’が第１ボディ１００ａ’の嵌合穴部１１５ａ’に各々嵌合する。これにより、第１、第２ボディ１００ａ’、１００ｂ’が挿入方向γに前後に組み合わされ、テール部２３０ａ、２３０ｃが同一高さで且つ挿入方向γに前後二列に配置されると共に、テール部２３０ｂ、２３０ｄが同一高さで且つ挿入方向γに前後二列に配置される。
【００４８】
その後、第１ボディ１００ａ’の補強部材１６０ａ’をシールドケース３００’の凹部３１２’に嵌合させる。このとき、補強部材１６０ａ’が凹部３１２’に挿入方向γにガイドされる。これと共に、側板部３３０’に沿って真っ直ぐな状態のロック片３４０’の間に、第１、第２ボディ１００ａ’、１００ｂ’を挿入する。このとき、第１ボディ１００ａ’の幅方向の両端がロック片３４０’にガイドされつつ、第１、第２ボディ１００ａ’、１００ｂ’がシールドケース３００’の収容空間に後方から挿入方向γに沿って挿入され、第１ボディ１００ａ’の第１、第２凸部１２０ａ’、１３０ａ’がシールドケース３００’の第１、第２スロットα、βに挿入される。すると、第１ボディ１００ａ’の本体部１１０ｂ’の前面が仕切り部３１１’に当接する。これと共に、第１ボディ１００ａ’の突脈１５０ａ’がシールドケース３００’の底板部３１０’の当止面３１３’、３１４’に各々当接し、シールドケース３００’の天板部３２０’の当止部３２３、３２４’が第１ボディ１００ａ’の切欠き部１１３ａ’、１１４ａ’に挿入され、該切欠き部１１３ａ’、１１４ａ’の奥側面に当接する。また、ガイド部１４０ａ’、本体部１１０ｂ’及び山部１３０ｂ’の上面がシールドケース３００’の天板部３２０’に当接する。
【００４９】
この状態で、ロック片３４０’を内側に各々折り曲げ、第２ボディ１００ｂ’の山部１３０ｂ’に各々当接させる。これにより、ロック片３４０’と、底板部３１０’の仕切り部３１１’、当止面３１３’、３１４’及び天板部３２０’の当止部３２３’、３２４’との間で第１、第２ボディ１００ａ’、１００ｂ’が挟持され、第１、第２ボディ１００ａ’、１００ｂ’がシールドケース３００’の収容空間に収容された状態で固定される。
【００５０】
このように組み立てられたレセプタクルコネクタは次のように基板１０に実装される。まず、シールドケース３００’の前側端子３３１’と後側端子３３２’を基板１０の上記スルーホール電極に各々挿入する。これと共に、第１ボディ１００ａ’の係止凸部１７０ａ’を基板１０の上記係止孔に各々挿入し係止させる。すると、シールドケース３００’の底板部３１０’の外面が基板１０上に設置され、シールドケース３００’のパッド３１７’が基板１０の一対のグランド電極１１に各々接触する。これと共に、テール部２３０ａ、２３０ｂ、２３０ｃ、２３０ｄが基板１０の上記表面電極上に各々接触する。その後、前側端子３３１’と後側端子３３２’を基板１０の前記スルーホール電極に、パッド３１７’を一対のグランド電極１１に、テール部２３０ａ、２３０ｂ、２３０ｃ、２３０ｄが基板１０の前記表面電極に各々半田付けする。このとき、パッド３１７’の第２パッド部３１７ｂ’とグランド電極１１とに半田フィレットが形成される。
【００５１】
このようなレセプタクルコネクタによる場合であっても、上記実施例１のレセプタクルコネクタと同様の効果を得ることができる。
【実施例３】
【００５２】
最後に、本発明の実施例３について図１３乃至図１８を参照しつつ説明する。図１３乃至図１５に示すレセプタクルコネクタは、テレビジョン受像機等の電子機器の基板５０に実装され、該電子機器の外部インターフェースとして用いられるＨＤＭＩ（High-Definition Multimedia Interface・登録商標）である。このレセプタクルコネクタは、第１、第２ボディ４００ａ、４００ｂと、複数の第１、第２コンタクト５００ａ、５００ｂと、シールドケース６００とを備えている。以下、詳しく説明する。
【００５３】
基板５０は、図１８に示すように周知のプリント基板であって、一対のグランド電極５１と、千鳥状に二列で配設された複数の表面電極５２、５３と、グランド電極５１及び表面電極５２、５３の両側に２つずつ配設されたスルーホール電極５４とを備えている。グランド電極５１は、図１７に示すように、シールドケース６００の後述する第１パッド部６１５ａに接触可能な部分と第２パッド部６１５ｂ側に延び且つ該第２パッド部６１５ｂに対向する部分とを有する略矩形状の表面電極である。グランド電極５１及びスルーホール電極５４は、基板５０の図示しないグランドラインに接続されている。
【００５４】
第１、第２ボディ４００ａ、４００ｂは、図１６に示すように、挿入方向γに前後に組み合わされ、シールドケース６００に後方から挿入され、収容されている。第１ボディ４００ａは、図１５（ｂ）乃至図１６に示すように、絶縁樹脂製の成型品である。この第１ボディ４００ａは、本体部４１０ａと、凸部４２０ａと、一対のガイド部４３０ａと、突脈４４０ａとを有している。本体部４１０ａは断面視略矩形状の板状体である。この本体部４１０ａの中間部には、該本体部４１０ａを挿入方向γに貫通する複数の略矩形状の孔部４１１ａが幅方向に間隔を空けて一列で配設されている。本体部４１０ａの孔部４１１ａの下側部分には、第１コンタクト５００ａが幅方向に間隔を空けて一列で配設されている。第１コンタクト５００ａは、孔部４１１ａと位相をずらして配置されている。換言すると、第１コンタクト５００ａは、平面位置的に隣り合う孔部４１１ａの間に配置されている。また、本体部４１０ａの挿入方向γの後面の孔部４１１ａの両側部分には、一対の円形の嵌合凹部４１２ａ（図示一つ）が設けられている。本体部４１０ａの幅方向の両端部には略矩形状の一対のガイド部４３０ａが後方に向けて各々設けられている。
【００５５】
本体部４１０ａの挿入方向γの前面４１３ａは、接続対象であるプラグコネクタ６０の接続部が当接可能な当接面となっている。この本体部４１０ａの前面４１３ａの孔部４１１ａの下側部分には凸部４２０ａが設けられている。凸部４２０ａは挿入方向γの前方に延びた板部であって、シールドケース６００のスロットα内に挿入されている。この凸部４２０ａの外形は、プラグコネクタ６０の接続部の図示しない接続孔に嵌合し得る形状となっている。凸部４２０ａの下面には、複数の第１長溝４２１ａが設けられている。凸部４２０ａの上面には、図１４（ａ）に示すように、複数の第２長溝４２２ａが設けられている。第１、第２長溝４２１ａ、４２２ａは前面視で千鳥状に配置されている。第１長溝４２１ａのピッチ間隔は第１コンタクト５００ａのピッチ間隔に対応している。第１長溝４２１ａには、第１コンタクト５００ａの後述する接触部５２０ａが挿入されている。第２長溝４２２ａのピッチ間隔は孔部４１１ａのピッチ間隔に対応している。第２長溝４２２ａは、図１５（ｂ）に示すように、孔部４１１ａに連通している。本体部４１０ａの下面には、略矩形状の突脈４４０ａが設けられている。突脈４４０ａが、第１コンタクト５００ａの後述するテール部５３０ａの前側近傍に配置されている。
【００５６】
各第１コンタクト５００ａは導電性を有する細長い金属板である。第１コンタクト５００ａは、図１５（ｂ）に示すように、下向き略Ｌ字状の埋設部５１０ａと、埋設部５１０ａの先端に連続する平板状の接触部５２０ａと、埋設部５１０ａの後端に連続する平板状のテール部５３０ａとを有している。埋設部５１０ａの後端部以外の部分は本体部４１０ａ内に埋設されている。埋設部５１０ａの後端部は本体部４１０ａから下方に突出している。接触部５２０ａは本体部４１０ａから突出し、凸部４２０ａの第１長溝４２１ａに挿入されている。テール部５３０ａは、埋設部５１０ａの後端部に対して略直角に折り曲げられている。このテール部５３０ａが、基板５０の表面電極５２に半田接続可能となっている。
【００５７】
第２ボディ４００ｂは、図１５（ｂ）乃至図１６に示すように、絶縁樹脂製の成型品である。この第２ボディ４００ｂは、本体部４１０ｂと、一対の嵌合凸部４２０ｂと、一対の山部４３０ｂとを有している。本体部４１０ｂは、断面視略Ｌ字状の部位であって、その幅寸法が第１ボディ４００ａの一対のガイド部４３０ａの間の間隔よりも若干小さくなっている。この本体部４１０ｂは第１ボディ４００ａのガイド部４３０ａの間に収容されている。本体部４１０ｂの挿入方向γの前面の幅方向の両端部には、一対の嵌合凸部４２０ｂが設けられている。この嵌合凸部４２０ｂは円柱状の突起であって、第１ボディ４００ａの嵌合凹部４１２ａに各々嵌合している。嵌合凸部４２０ｂが嵌合凹部４１２ａに嵌合することにより、第１、第２ボディ４００ａ、４００ｂが挿入方向γに前後に組み合わせられた状態で維持されている。本体部４１０ｂには、第２コンタクト５００ｂが幅方向に間隔を空けて一列で配設されている。第２コンタクト５００ｂは、後述する接触部５２０ｂが第１ボディ４００ａの孔部４１１ａの位置に対応するように配置されている。第１、第２ボディ４００ａ、４００ｂが組み合わせられた状態で、第２コンタクト５００ｂの接触部５２０ｂが第１ボディ４００ａの孔部４１１ａ及び第２長溝４２２ａに各々挿入され、該第１、第２コンタクト５００ａ、５００ｂの接触部５２０ａ、５２０ｂが異なる高さ位置で二列で千鳥配置されている。本体部４１０ｂの挿入方向γの後面の幅方向の両端部には、一対の山部４３０ｂが設けられている。この山部４３０ｂの先端部は、図１４（ｃ）に示すように、第１、第２ボディ４００ａ、４００ｂが組み合わせられた状態で、ガイド部４３０ａよりも後方に突出している。
【００５８】
各第２コンタクト５００ｂは導電性を有する細長い金属板である。第２コンタクト５００ｂは、図１５（ｂ）に示すように、埋設部５１０ｂと、埋設部５１０ｂの先端に連続する接触部５２０ｂと、埋設部５１０ｂの後端に連続するテール部５３０ｂとを有している。埋設部５１０ｂは、斜めに傾斜した中間部と、この中間部に対して折り曲げられた先端部と、前記中間部に対して折り曲げられ、下方に垂下された後端部とを有している。この埋設部５１０ｂの先端部及び中間部が本体部４１０ｂ内に埋設されている。埋設部５１０ｂの後端部は本体部４１０ｂから下方に突出している。接触部５２０ｂは本体部４１０ｂの前面から突出した平板であって、接触部５２０ａよりも長い。接触部５２０ｂは上述の通り第１ボディ４００ａの孔部４１１ａ及び第２長溝４２２ａに挿入されている。テール部５３０ｂは、埋設部５１０ｂの後端部に対して略直角に折り曲げられた平板であって、基板５０の表面電極５３に半田接続可能になっている。このテール部５３０ｂの下面の高さ位置は、第１、第２ボディ４００ａ、４００ｂが組み合わせられた状態で、テール部５３０ａの下面の高さ位置と同じになるように設定されている。また、第１、第２ボディ４００ａ、４００ｂが組み合わせられた状態で、テール部５３０ａ、５３０ｂが挿入方向γに前後二列に配列されている。
【００５９】
シールドケース６００は、図１３乃至図１６に示すように、導電性を有する金属板がプレス成型された筒体である。このシールドケース６００は、略Ｕ字状のベース部６１０と、一対の折り返し部６２０（第１、第２折り返し部）と、一対の外壁部６３０（第１、第２外壁部）と、一対の前側、後側端子６４０ａ、６４０ｂ（第１、第２接続用端子）と、連結板６５０（連結部）と、一対の保持部６６０と、一対のロック片６７０とを有している。
【００６０】
ベース部６１０は、図１４（ａ）、図１４（ｂ）及び図１５（ｂ）に示すように、底板部６１１と、この底板部６１１の幅方向（第１方向）の両端（第１、第２端部）に立設された一対の側板部６１２とを有している。底板部６１１は矩形状の板であって、その外面（第１面）が基板５０上に設置可能となっている。底板部６１１の中央部には接合部６１１ａが設けられている。この接合部６１１ａはシールドケース６００を構成する金属板の端部同士を接合しカシメた部分である。底板部６１１の挿入方向γの後面は、図１５（ｂ）に示すように、シールドケース６００の後述する収容空間に収容された第１ボディ４００ａの突脈４４０ａの挿入方向γの前面に当接し、該第１ボディ４００ａを当て止めする当て止め面６１１ｂとなっている。
【００６１】
側板部６１２は、傾斜部６１２ａと、拡張部６１２ｂとを有している。傾斜部６１２ａは、底板部６１１の両端に連設され且つ該底板部６１１に対して傾斜するように折り曲げられている。よって、傾斜部６１２ａの外面（第２面）も底板部６１１の外面（第１面）に対して傾斜している。底板部６１１の外面の傾斜部６１２ａの外面との境界部分には、図１３（ｂ）及び図１６に示すように、第１、第２端部６１３ａ、６１３ｂを有する略Ｕ字状の第１凹部６１３が各々設けられている。この第１凹部６１３は第１、第２端部６１３ａ、６１３ｂの間の開放部が外側に向いている。傾斜部６１２ａの外面の底板部６１１の外面との境界部分には、第１凹部６１３の第１、第２端部６１３ａ、６１３ｂに連通する矩形状の一対の第２凹部６１４が各々設けられている。この第１、第２凹部６１３、６１４に区画された部分が基板５０の一対のグランド電極５１に各々半田接続可能なパッド６１５となっている。パッド６１５は、第１、第２パッド部６１５ａ、６１５ｂを有する。第１パッド部６１５ａは底板部６１１の外面に設けられた部位である。第１パッド部６１５ａの表面と底板部６１１の外面とは、高さ位置が同じになっている（すなわち、面一である。）。第２パッド部６１５ｂは傾斜部６１２ａの外面に設けられた部位であって、第１パッド部６１５ａに対して傾斜している。第２パッド部６１５ｂの表面と傾斜部６１２ａの外面とは、高さ位置が同じになっている（すなわち、面一である。）。拡張部６１２ｂは、図１５（ｂ）に示すように、傾斜部６１２ａの上端に延設された下向き略Ｌ字状の板体である。この拡張部６１２ｂの挿入方向γの先端（第１方向に直交する第２方向の第１端）に折り返し部６２０が連設されている。
【００６２】
折り返し部６２０は拡張部６１２ｂの挿入方向γの後端（第２方向の第２端）側に折り返された平面視略Ｕ字状の板体である。この折り返し部６２０の外側端部に外壁部６３０が連設されている。外壁部６３０は拡張部６１２ｂに沿って挿入方向γの後方に延びた略矩形状の板体であって、ベース部６１０よりも長い。外壁部６３０の上端は連結板６５０により連結されている。連結板６５０は外壁部６３０と略同じ長さ寸法を有する略矩形状の板体である。すなわち、連結板６５０の挿入方向γの長さ寸法はベース部６１０の挿入方向γの長さ寸法よりも大きくなっている。外壁部６３０の挿入方向γの後端部及び連結板６５０の挿入方向γの後端部が前記収容空間を区画し、ベース部６１０、外壁部６３０の挿入方向γの先端部、連結板６５０の挿入方向γの先端部及び第１ボディ４００ａの前面４１３ａがスロットα’を区画している。前記収容空間には第１、第２ボディ４００ａ、４００ｂが後方から挿入され、収容されている。スロットα’の内形は、プラグコネクタ６０のＨＤＭＩ用の接続部の外形に対応した形状となっている。すなわち、スロットα’にはプラグコネクタ６０の接続部が挿入可能となっている。
【００６３】
また、外壁部６３０の後面にはロック片６７０が各々設けられている。このロック片６７０が、外壁部６３０に対して略直角に折り曲げられ、第２ボディ４００ｂの一対の山部４３０ｂに当接している。このロック片６７０と底板部６１１の当て止め面６１１ｂとの間で第１、第２ボディ４００ａ、４００ｂが挟持され、前記収容空間で位置固定されている。なお、図１６では、ロック片６７０は折り曲げる前の状態で図示している。また、連結板６５０には、図１３（ａ）に示すように、該連結板６５０の一部を切り欠いた一対の係止片６５１が設けられている。この係止片６５１の先端部は下方に略Ｕ字状に湾曲しており、該先端部の頂部が収容空間内に位置している（図１５（ｂ）参照）。このため、収容空間にプラグコネクタ６０が挿入されると、係止片６５１の前記頂部がプラグコネクタ６０に弾性接触し、該プラグコネクタ６０を保持するようになっている。
【００６４】
また、各外壁部６３０の下端部には、前側端子６４０ａ及び後側端子６４０ｂが下方に向けて延設されている。また、外壁部６３０の下端部の前側端子６４０ａと後側端子６４０ｂとの間には保持部６６０が設けられている。前側、後側端子６４０ａ、６４０ｂは、基板５０のスルーホール電極５４に各々挿入可能な脚部である。前側端子６４０ａは、図１５（ｂ）に示すように、収容空間に収容された第１ボディ４００ａの本体部４１０ａの前面４１３ａよりも前側に配置されている。プラグコネクタ６０がスロットα’に挿入された状態で、該プラグコネクタ６０に接続された図示しないケーブルを力点として該プラグコネクタ６０がこじられた場合（プラグコネクタ６０を周方向に回転させた場合）、プラグコネクタ６０の先端が支点となりシールドケース６００に負荷を与えるが、前側端子６４０ａは、プラグコネクタ６０の先端が当接する本体部４１０ａの前面４１３ａよりも前側（すなわち、支点より力点側）に配置されているため、前側端子６４０ａが前記当接面よりも後側（すなわち、支点より後側）に配置されている場合に比べて、該前側端子６４０ａにかかる負荷を低減することができる。これにより、本レセプタクルコネクタが該基板５０から剥離したり、本レセプタクルコネクタが変形又は破壊されたりするのを抑制している。
【００６５】
保持部６６０は内側に向けて折り曲げられたＬ字状の板体である。保持部６６０は、図１４（ｂ）に示すように、第１ボディ４００ａの後述する本体部４１０ａの突脈４４０ａの外側部分を保持するようになっている。保持部６６０と連結板６５０との間の距離は第１ボディ４００ａの本体部４１０ａの高さ寸法と略同じである。このため、本体部４１０ａが保持部６６０に保持された状態で、該本体部４１０ａの上面が連結板６５０に当接する。また、外壁部６３０の間の距離は、第１ボディ４００ａのガイド部４３０ａの外面の間の距離と略同じである。このため、第１ボディ４００ａのガイド部４３０ａの外面が外壁部６３０の内面に当接している。
【００６６】
以下、上述した構成のレセプタクルコネクタの組み立て手順について説明する。まず、第１コンタクト５００ａの埋設部５１０ａがインサート成形により埋設された第１ボディ４００ａと、第２コンタクト５００ｂの埋設部５１０ｂがインサート成形により埋設された第２ボディ４００ｂとを用意する。その後、第２コンタクト５００ｂの接触部５２０ｂを第１ボディ４００ａの孔部４１１ａに各々位置合わせしつつ挿入する。その後、第１ボディ４００ａと第２ボディ４００ｂとを相対的に近づけ、第２ボディ４００ｂの嵌合凸部４２０ｂを第１ボディ４００ａの嵌合凹部４１２ａに各々嵌合させる。このとき、接触部５２０ｂが第１ボディ４００ａの孔部４１１ａを前進し、該第１ボディ４００ａの第２長溝４２２ａに入り込む。これにより、接触部５２０ａ、５２０ｂが異なる高さ位置で上下二列で千鳥配置される。これと共に、テール部５３０ａ、５３０ｂが同一高さで前後二列に配置される。このようにして第１ボディ４００ａと第２ボディ４００ｂとが挿入方向γに前後に組み合わされる。
【００６７】
この状態で、第１、第２ボディ４００ａ、４００ｂをシールドケース６００の収容空間に後方から挿入し、第１ボディ４００ａの突脈４４０ａの前面をシールドケース６００のベース部６１０の当て止め面６１１ｂに当接させる。このとき、凸部４２０ａがシールドケース６００のスロットα’内に挿入される。これと共に、第１ボディ４００ａの本体部４１０ａの突脈４４０ａの両外側部分を保持部６６０上に載置させる。このとき、本体部４１０ａの上面が連結板６５０に当接し、ガイド部４３０ａが外壁部６３０の内面に当接する。その後、ロック片６７０を各々折り曲げ、第２ボディ４００ｂの山部４３０ｂに各々当接させる。これにより、第１、第２ボディ４００ａ、４００ｂがベース部６１０の当て止め面６１１ｂとロック片６７０との間で挟持され、接触部５２０ａ、５２０ｂ及びテール部５３０ａ、５３０ｂが上述の配置で位置固定される。
【００６８】
このように組み立てられたレセプタクルコネクタは次のように基板５０に実装される。まず、シールドケース６００の前側、後側端子６４０ａ、６４０ｂを、基板５０のスルーホール電極５４に各々挿入する。すると、シールドケース６００のベース部６１０の外面が基板５０上に設置され、シールドケース６００のパッド６１５が基板５０の一対のグランド電極５１に各々接触する（図１７参照）と共に、第１、第２コンタクト５００ａ、５００ｂのテール部５３０ａ、５３０ｂが基板５０の表面電極５２、５３上に各々接触する。その後、前側、後側端子６４０ａ、６４０ｂを基板５０のスルーホール電極５４に、パッド６１５を基板５０のグランド電極５１に、テール部５３０ａ、５３０ｂを基板５０の表面電極５２、５３に各々半田付けする。このとき、パッド６１５の第２パッド部６１５ｂとグランド電極５１とに半田フィレットが形成される。
【００６９】
このようなレセプタクルコネクタによる場合、シールドケース６００の底板部６１１の外面及び側板部６１２の傾斜部６１２ａの外面に、第１、第２凹部６１３、６１４が設けられただけであり、第１、第２凹部６１３、６１４に区画された部分がパッド６１５となっている。このパッド６１５の第１パッド部６１５ａは底板部６１１の外面と面一であるので、底板部６１１の外面を基板５０上に設置したとしても、底板部６１１の外面と基板５０との間に隙間が生じない。また、第１パッド部６１５ａは略Ｕ字状の第１凹部６１３に囲われているので、半田接続時に半田が底板部６１１の外面と基板５０との間に広がるのを抑止することができ、底板部６１１の接合部６１１ａからシールドケース６００内に侵入するのを抑止することができる。しかも、パッド６１５の第２パッド部６１５ｂが第１パッド部６１５ａに対して傾斜しているので、第２パッド部６１５ｂに半田を塗布することにより、大きな半田フィレットを形成することができる。よって、本レセプタクルコネクタの両端部の基板剥離強度を向上させることができる。しかも、シールドケース６００の前側、後側端子６４０ａ、６４０ｂを基板５０のスルーホール電極５４に半田接続されているので、この点でも本レセプタクルコネクタの両端部の基板剥離強度を更に向上させることができる。このように本レセプタクルコネクタは高い基板剥離強度を有する構成となっている。
【００７０】
また、底板部６１１の外面と基板５０との間に隙間が生じないので、本レセプタクルコネクタの実装高さの低減を図ることもできる。更に、パッド６１５は、第１、第２凹部６１３、６１４に囲われた部分であることから、底板部６１１の外面及び側板部６１２の傾斜部６１２ａに、シールドケースの一部を切り下げて接続用端子が作成される場合のように開口が形成されることがない。また、前側、後側端子６４０ａ、６４０ｂは、側板部６１２の拡張部６１２ｂに沿って延びた外壁部６３０に設けられているので、該側板部６１２及び底板部６１１に前側、後側端子６４０ａ、６４０ｂを形成するための開口が形成されることがない。よって、半田接続時に底板部６１１及び側板部６１２からシールドケース６００内に半田やフラックスが侵入するのを抑制することができる。また、底板部６１１及び側板部６１２に前記開口が形成されることによるシールドケース６００のこじり強度の低下を抑制することができる。また、外壁部６３０の上端同士が連結板６５０により連結されているので、シールドケース６００のこじり強度の向上を図ることができる。
【００７１】
なお、上述したレセプタクルコネクタは、上記実施の形態に限定されるものではなく、特許請求の範囲の記載の範囲において任意に設計変更することが可能である。以下、詳しく述べる。
【００７２】
上記実施例１乃至３では、シールドケースは導電性を有する金属板がプレス成型されたものであるとしたが、筒状であって、その内部空間にボディを収容し得るものである限り任意に設計変更することが可能である。例えば、前記シールドケースは、絶縁樹脂やセラミック材等の絶縁材を筒状とし、その外面に導電性を有する金属を蒸着させたものや、導電性を有する金属を筒状に鋳造したものを用いることが可能である。
【００７３】
上記実施例１及び２では、シールドケースは第１、第２スロットを有しているとしたが、実施例３の如くシールドケースが一つのスロットを有する構成とすることが可能である。また、シールドケースに複数の湾曲部を設けたり、別途作成した仕切り板をシールドケース内に取り付けたり、湾曲部及び仕切り板の双方を用いたりすることにより、３以上のスロットを有する構成とすることが可能である。また、上記実施例１及び２では、前記湾曲部は、仕切り部として用いるとしたが、相手方コネクタのキー溝に嵌合し、適合するキー溝を有していないコネクタの誤挿入を防止するキー部として用いることが可能である。また、上記実施例１及び２では、湾曲部及び凹部は、底板部の挿入方向の先端（第１端）から後端（第２端）までの全域にわたって延存しているとしたが、シールドケースの内側に湾曲し且つ挿入方向に延びている限り任意に設計変更することが可能である。
【００７４】
上記実施例１及び２では、第１、第２凹部が底板部の外面と凹部の下側凹部の両内面との境界部分に、実施例３では、第１、第２凹部が底板部の外面と側板部の傾斜部の外面との境界部分に設けられているとしたが、第１、第２凹部は、第１面と、この第１面に連続しており且つ該第１面に対して傾斜又は直角な第２面との境界部分に設けられている限りどのような部分に設けても良い。例えば、実施例１又は２において、凹部の両内面が底板部の外面に対して略直角とすることができ、また、実施例３において側板部の外面を底板部の外面に対して略直角とすることができる。実施例１乃至３では、第２凹部は、略矩形状であるとしたが、第１凹部の第１、第２端部に連通する限りどのような形状であっても良い。例えば、一対の第２凹部が湾曲し、その先端同士が連通していても良い。上記実施例１乃至３で示したパッドは、その一例を示したものであって、前記第１、第２凹部の形状に応じて適宜変更可能である。
【００７５】
上記実施例３では、側板部の拡張部の挿入方向の先端に折り返し部が連設され、この折り返し部の外側端部に連設された外壁部に接続用端子である前側端子及び後側端子が設けられているとしたが、実施例１及び２の前側端子如く、側板部の一部を切り下げて接続用端子を作成することが可能である。また、実施例３では、外壁部の上端が連結板で連結されているとしたが、これに限定されるものではない。例えば、シールドケースが、側板部の上端を連結する天板部を備えている場合には、外壁部同士を連結する連結板は省略可能である。また、外壁部を連結する連結部としては板体である必要はなく、棒状体等を用いることも可能である。また、連結部を外壁部と別体とし、外壁部に設けた孔に連結部を圧入することにより、該外壁部を連結するようにしても良い。
【００７６】
実施例１及び２では、前側端子及び後側端子が側板部の下端部に設けられているとしが、これに限定されるものではない。例えば、実施例３の如く、側板部の挿入方向の先端に折り返し部を連設し、この折り返し部の外側端部に連設された外壁部に接続用端子を設けることも可能である。なお、前記接続用端子としては、実施例１乃至３の如くスルーホール電極に半田接続されるものに限定されるわけではない。例えば、前記接続用端子を外側に折り曲げて、底板部と略平行とし、基板の表面電極に半田接続可能とすることも可能である。また、実施例１乃至３において、接続用端子は、一対の前側端子及び後側端子であるとしたが、これに限定されるものではない。前側端子及び後側端子の何れか一方のみとすることが可能であるし、また、上記パッドにより、シールドケースの基板剥離強度が所定の強度に達する場合には、接続用端子を省略することが可能である。
【００７７】
上記実施例１乃至３では、補強部材はシールドケースの仕切り部の裏側の凹部に部分的に嵌合しているとしたが、前記凹部の全てに嵌合するようにしても構わない。この場合、シールドケースのこじり強度が向上する。
【００７８】
上記実施例１乃至３では、本発明に係るコネクタは、第１、第２ボディを備えているとしたが、少なくとも一つのボディを備えていれば良い。また、本発明に係るコネクタは、コンタクトについても少なくとも一種類のコンタクトを備えていれば良い。コンタクトは、ボディに埋設されている必要はなく、ボディに設けられた孔に挿入されるようになっていても良い。上記実施例１乃至３では、コンタクトのテール部は、挿入方向に前後二列で配列されているとしたが、一列で配列することも可能である。また、テール部を垂下させ、基板のスルーホール電極に接続させることも可能である。
【００７９】
なお、上記実施例１乃至３におけるレセプタクルコネクタの各部を構成する素材、形状、個数や寸法等はその一例を説明したものであって、同様の機能を実現し得る限り任意に設計変更することが可能である。また、上記実施例１乃至３では、本発明は、ＨＤＭＩとして用いられるレセプタクルコネクタであるとしたが、これに限定されるものではない。また、上記実施例１及び２では、本発明の第１、第２スロットは、ＨＤＭＩ-ｍｉｎｉとＨＤＭＩとに対応するとしたが、前記第１、第２スロットの内形はその他の相手側コネクタの形状に応じて適宜設計変更することが可能である。例えば、第１、第２スロットの内形を同じとし、同じ相手側コネクタが接続可能とすることも可能である。また、本発明は、レセプタクルコネクタだけでなく、基板の端部にケーブルを接続することによりプラグコネクタとすることも可能である。また、上記実施例１乃至３では、電子機器としてはテレビジョン受像機を例に挙げたが、これに限定されるものではない。
【符号の説明】
【００８０】
１０・・・・基板
２０・・・・プラグコネクタ
３０・・・・プラグコネクタ
４０・・・・プラグコネクタ
５０・・・・基板
６０・・・・プラグコネクタ
１００ａ・・第１ボディ
１００ｂ・・第２ボディ
２００ａ・・第１コンタクト
２００ｂ・・第２コンタクト
２００ｃ・・第３コンタクト
２００ｄ・・第４コンタクト
３００・・・シールドケース
３１０・・底板部
３１１・仕切り部（湾曲部）
３１２・凹部（仕切り部の凹面）
３１５・第１凹部
３１５ａ・第１端部
３１５ｂ・第２端部
３１６・第２凹部
３１７・パッド
３１７ａ・第１パッド部
３１７ｂ・第２パッド部
３３０・・側板部（第１、第２側板部）
３３１・前側端子（第１、第２接続用端子）
３３１・後側端子（第１、第２接続用端子）
４００ａ・・第１ボディ
４００ｂ・・第２ボディ
５００ａ・・第１コンタクト
５００ｂ・・第２コンタクト
６００・・・シールドケース
６１１・底板部
６１２・側板部（第１、第２側板部）
６１３・第１凹部
６１３ａ・第１端部
６１３ｂ・第２端部
６１４・第２凹部
６１５・パッド
６１５ａ・第１パッド部
６１５ｂ・第２パッド部
６２０・・折り返し部（第１、第２折り返し部）
６３０・・外壁部（第１、第２外壁部）
６４０ａ・前側端子（第１、第２接続用端子）
６４０ｂ・後側端子（第１、第２接続用端子）
６５０・・連結板
【図１】
0005525332.tif 000002
【図２】
0005525332.tif 000003
【図３】
0005525332.tif 000004
【図４】
0005525332.tif 000005
【図５】
0005525332.tif 000006
【図６】
0005525332.tif 000007
【図７】
0005525332.tif 000008
【図８】
0005525332.tif 000009
【図９】
0005525332.tif 000010
【図１０】
0005525332.tif 000011
【図１１】
0005525332.tif 000012
【図１２】
0005525332.tif 000013
【図１３】
0005525332.tif 000014
【図１４】
0005525332.tif 000015
【図１５】
0005525332.tif 000016
【図１６】
0005525332.tif 000017
【図１７】
0005525332.tif 000018
【図１８】
0005525332.tif 000019